【手続補正書】
【提出日】平成15年8月28日(2003.8.28)
【手続補正１】
【補正対象書類名】明細書
【補正対象項目名】００７４
【補正方法】変更
【補正の内容】
【００７４】
実施例５：ブタにおけるＷＡＰ遺伝子座を更に解析する
ブタのＷＡＰ遺伝子座のシークエンシングを行った。本発明の配列は以下のように、
ＳＥＱ  ＩＤ  Ｎｏ．２（アセンブル１９）、ＳＥＱ  ＩＤ  Ｎｏ．３（アセンブル１７）、
ＳＥＱ  ＩＤ  Ｎｏ．４（アセンブル２０）、ＳＥＱ  ＩＤ  Ｎｏ．５（アセンブル１２）、
ＳＥＱ  ＩＤ  Ｎｏ．６（アセンブル１８）、ＳＥＱ  ＩＤ  Ｎｏ．７（アセンブル２１）そしてＳＥＱ  ＩＤ  Ｎｏ．８（アセンブル１６）（図７及び８参照）と記述される。
それゆえ、遺伝子座の完全な配列はＳＥＱ  ＩＤ  Ｎｏ．２からＳＥＱ  ＩＤ  Ｎｏ．８までの連続である。ヒトＲＡＭＰ３と強い相同性を有し、カルシトニン様受容体の輸送タンパク質をコードする遺伝子が、このＷＡＰ遺伝子座に見られた。
更に、約８０Ｋｂの長さのＢＡＣ９０５Ｆ９のＮｏｔＩ断片と約３０Ｋｂの長さのＢＡＣ３４４Ｈ５のＡｓｃＩ−ＮｏｔＩ断片とを含むトランスジェニックマウスが得られた。本発明者等が観察したところでは、８０Ｋｂの断片を用いれば、授乳期にあるトランスジェニックマウスの乳腺に導入遺伝子を高い率で特異的に発現させることができる。
参考文献
Ａｌａｍｉ，  Ｒ．，  Ｊ．  Ｍ．  Ｇｒｅａｌｌｙ，  Ｋ．  Ｔａｎｉｍｏｔｏ，  Ｓ．  Ｈｗａｎｇ，  Ｙ．  Ｑ．  Ｆｅｎｇ，  Ｊ．  Ｄ．  Ｅｎｇｅｌ，  Ｓ．  Ｆｉｅｒｉｎｇ  ａｎｄ  Ｅ．  Ｅ．  Ｂｏｕｈａｓｓｉｒａ．  ２０００．  Ｂｅｔａ−ｇｌｏｂｉｎ  ＹＡＣ  ｔｒａｎｓｇｅｎｅｓ  ｅｘｈｉｂｉｔ  ｕｎｉｆｏｒｍ  ｅｘｐｒｅｓｓｉｏｎ  ｌｅｖｅｌｓ  ｂｕｔ  ｐｏｓｉｔｉｏｎ  ｅｆｆｅｃｔ  ｖａｒｉｅｇａｔｉｏｎ  ｉｎ  ｍｉｃｅ．  Ｈｕｍ  Ｍｏｌ  Ｇｅｎｅｔ  ９（４）：  ６３１−６．
Ａｌ−Ｓｈａｗｉ，  Ｒ．，  Ｊ．  Ｂｕｒｋｅ，  Ｃ．  Ｔ．  Ｊｏｎｅｓ，  Ｊ．  Ｐ．  Ｓｉｍｏｎｓ  ａｎｄ  Ｊ．  Ｏ．  Ｂｉｓｈｏｐ．  １９８８．  Ａ  Ｍｕｐ  ｐｒｏｍｏｔｅｒ−ｔｈｙｍｉｄｉｎｅ  ｋｉｎａｓｅ  ｒｅｐｏｒｔｅｒ  ｇｅｎｅ  ｓｈｏｗｓ  ｒｅｌａｘｅｄ  ｔｉｓｓｕｅ−ｓｐｅｃｉｆｉｃ  ｅｘｐｒｅｓｓｉｏｎ  ａｎｄ  ｃｏｎｆｅｒｓ  ｍａｌｅ  ｓｔｅｒｉｌｉｔｙ  ｕｐｏｎ  ｔｒａｎｓｇｅｎｉｃ  ｍｉｃｅ．  Ｍｏｌ  Ｃｅｌｌ  Ｂｉｏｌ  ８（１１）：  ４８２１−８．
Ａｔｔａｌ，  Ｊ．，  Ｍ．  Ｃａｊｅｒｏ−Ｊｕａｒｅｚ  ａｎｄ  Ｌ．  Ｍ．  Ｈｏｕｄｅｂｉｎｅ．  １９９５．  Ａ  ｓｉｍｐｌｅ  ｍｅｔｈｏｄ  ｏｆ  ＤＮＡ  ｅｘｔｒａｃｔｉｏｎ  ｆｒｏｍ  ｗｈｏｌｅ  ｔｉｓｓｕｅｓ  ａｎｄ  ｂｌｏｏｄ  ｕｓｉｎｇ  ｇｌａｓｓ  ｐｏｗｄｅｒ  ｆｏｒ  ｄｅｔｅｃｔｉｏｎ  ｏｆ  ｔｒａｎｓｇｅｎｉｃ  ａｎｉｍａｌｓ  ｂｙ  ＰＣＲ．  Ｔｒａｎｓｇｅｎｉｃ  Ｒｅｓ  ４（２）：  １４９−５０．
Ｂａｌｌ，  Ｒ．  Ｋ．，  Ｆｒｉｉｓ，  Ｒ．Ｒ．，  Ｓｃｈｏｅｎｅｎｂｅｒｇｅｒ，  Ｃ．  Ａ．，  Ｄｏｐｐｌｅｒ，  Ｗ．  ａｎｄ  Ｇｒｏｎｅｒ，  Ｂ．：  Ｐｒｏｌａｃｔｉｎ  ｒｅｇｕｌａｔｉｏｎ  ｏｆ  ｂｅｔａ−ｃａｓｅｉｎ  ｇｅｎｅ  ｅｘｐｒｅｓｓｉｏｎ  ａｎｄ  ｏｆ  ａ  ｃｙｔｏｓｏｌｉｃ  １２０−ｋｄ  ｐｒｏｔｅｉｎ  ｉｎ  ａ  ｃｌｏｎｅｄ  ｍｏｕｓｅ  ｍａｍｍａｒｙ  ｅｐｉｔｈｅｌｉａｌ  ｃｅｌｌ  ｌｉｎｅ．  Ｅｍｂｏ  Ｊ  ７（１９８８）  ２０８９−９５．
Ｂａｖｉｓｔｅｒ，  Ｂ．  Ｄ．，  Ｌｅｉｂｆｒｉｅｄ，  Ｍ．  Ｌ．  ａｎｄ  Ｌｉｅｂｅｒｍａｎ，  Ｇ．：  Ｄｅｖｅｌｏｐｍｅｎｔ  ｏｆ  ｐｒｅｉｍｐｌａｎｔａｔｉｏｎ  ｅｍｂｒｙｏｓ  ｏｆ  ｔｈｅ  ｇｏｌｄｅｎ  ｈａｍｓｔｅｒ  ｉｎ  ａ  ｄｅｆｉｎｅｄ  ｃｕｌｔｕｒｅ  ｍｅｄｉｕｍ．  Ｂｉｏｌ  Ｒｅｐｒｏｄ  ２８（１９８３）  ２３５−４７．
Ｂａｖｉｓｔｅｒ，  Ｂ．  Ｄ．  ａｎｄ  Ｙａｎａｇｉｍａｃｈｉ：  Ｔｈｅ  ｅｆｆｅｃｔｓ  ｏｆ  ｓｐｅｒｍ  ｅｘｔｒａｃｔｓ  ａｎｄ  ｅｎｅｒｇｙ  ｓｏｕｒｃｅｓ  ｏｎ  ｔｈｅ  ｍｏｔｉｌｉｔｙ  ａｎｄ  ａｃｒｏｓｏｍｅ  ｒｅａｃｔｉｏｎ  ｏｆ  ｈａｍｓｔｅｒ  ｓｐｅｒｍａｔｏｚｏａ  ｉｎ  ｖｉｔｒｏ．  Ｂｉｏｌ  Ｒｅｐｒｏｄ  １６（１９７７）  ２２８−３７．
Ｂｅｇ，  Ｏ．  Ｕ．，  Ｈ．  ｖｏｎ  Ｂａｈｒ−Ｌｉｎｄｓｔｒｏｍ，  Ｚ．  Ｈ．  Ｚａｉｄｉ  ａｎｄ  Ｈ．Ｊｏｒｎｖａｌｌ．  １９８６．  Ａ  ｃａｍｅｌ  ｍｉｌｋ  ｗｈｅｙ  ｐｒｏｔｅｉｎ  ｒｉｃｈ  ｉｎ  ｈａｌｆ−ｃｙｓｔｉｎｅ．  Ｐｒｉｍａｒｙ  ｓｔｒｕｃｔｕｒｅ，  ａｓｓｅｓｍｅｎｔ  ｏｆ  ｖａｒｉａｔｉｏｎｓ，  ｉｎｔｅｒｎａｌ  ｒｅｐｅａｔ  ｐａｔｔｅｒｎｓ，  ａｎｄ  ｒｅｌａｔｉｏｎｓｈｉｐｓ  ｗｉｔｈ  ｎｅｕｒｏｐｈｙｓｉｎ  ａｎｄ  ｏｔｈｅｒ  ａｃｔｉｖｅ  ｐｏｌｙｐｅｐｔｉｄｅｓ．  Ｅｕｒ  Ｊ  Ｂｉｏｃｈｅｍ  １５９（１）：  １９５−２０１．
Ｂｒｅａｔｈｎａｃｈ，  Ｒ．  ａｎｄ  Ｃｈａｍｂｏｎ，  Ｐ．：  Ｏｒｇａｎｉｓａｔｉｏｎ  ａｎｄ  ｅｘｐｒｅｓｓｉｏｎ  ｏｆ  ｅｕｃａｒｙｏｔｉｃ  ｓｐｌｉｔ  ｇｅｎｅｓ  ｃｏｄｉｎｇ  ｆｏｒ  ｐｒｏｔｅｉｎｓ．  Ａｎｎｕ  Ｒｅｖ  Ｂｉｏｃｈｅｍ  ５０（１９８ｌ）  ３４９−８３．
Ｃａｍｐｂｅｌｌ，  Ｓ．  Ｍ．，  Ｊ．  Ｍ．  Ｒｏｓｅｎ，  Ｌ．  Ｇ．  Ｈｅｎｎｉｇｈａｕｓｅｎ，  Ｕ．  Ｓｔｒｅｃｈ−Ｊｕｒｋ  ａｎｄ  Ａ．  Ｅ．  Ｓｉｐｐｅｌ．  １９８４．  Ｃｏｍｐａｒｉｓｏｎ  ｏｆ  ｔｈｅ  ｗｈｅｙ  ａｃｉｄｉｃ  ｐｒｏｔｅｉｎ  ｇｅｎｅｓ  ｏｆ  ｔｈｅ  ｒａｔ  ａｎｄ  ｍｏｕｓｅ．  Ｎｕｃｌｅｉｃ  Ａｃｉｄｓ  Ｒｅｓ  １２（２２）：  ８６８５−９７．
Ｃｈｒａｓｔ，  Ｒ．，  Ｓｃｏｔｔ，  Ｈ．  Ｓ．  ａｎｄ  Ａｎｔｏｎａｒａｋｉｓ，  Ｓ．  Ｅ．：  Ｌｉｎｅａｒｉｚａｔｉｏｎ  ａｎｄ  ｐｕｒｉｆｉｃａｔｉｏｎ  ｏｆ  ＢＡＣ  ＤＮＡ  ｆｏｒ  ｔｈｅ  ｄｅｖｅｌｏｐｍｅｎｔ  ｏｆ  ｔｒａｎｓｇｅｎｉｃ  ｍｉｃｅ．  Ｔｒａｎｓｇｅｎｉｃ  Ｒｅｓ  ８（１９９９）  １４７−５０．
Ｃｈｕｎｇ，  Ｊ．  Ｈ．，  Ｗｈｉｔｅｌｅｙ，  Ｍ．  ａｎｄ  Ｆｅｌｓｅｎｆｅｌｄ，  Ｇ．：  Ａ  ５’  ｅｌｅｍｅｎｔ  ｏｆ  ｔｈｅ  ｃｈｉｃｋｅｎ  ｂｅｔａ−ｇｌｏｂｉｎ  ｄｏｍａｉｎ  ｓｅｒｖｅｓ  ａｓ  ａｎ  ｉｎｓｕｌａｔｏｒ  ｉｎ  ｈｕｍａｎ  ｅｒｙｔｈｒｏｉｄ  ｃｅｌｌｓ  ａｎｄ  ｐｒｏｔｅｃｔｓ  ａｇａｉｎｓｔ  ｐｏｓｉｔｉｏｎ  ｅｆｆｅｃｔ  ｉｎ  Ｄｒｏｓｏｐｈｉｌａ．  Ｃｅｉｌ  ７４（１９９３）  ５０５−１４．
Ｃｏｒｃｅｓ，  Ｖ．  Ｇ．：  Ｃｈｒｏｍａｔｉｎ  ｉｎｓｕｌａｔｏｒｓ．  Ｋｅｅｐｉｎｇ  ｅｎｈａｎｃｅｒｓ  ｕｎｄｅｒ  ｃｏｎｔｒｏｌ  ［ｎｅｗｓ；  ｃｏｍｍｅｎｔ］．  Ｎａｔｕｒｅ  ３７６（１９９５）  ４６２−３．
Ｄｅｖｉｎｏｙ，  Ｅ．，  Ｃ．  Ｈｕｂｅｒｔ，  Ｅ．  Ｓｃｈａｅｒｅｒ，  Ｌ．  Ｍ．  Ｈｏｕｄｅｂｉｎｅ  ａｎｄ  Ｊ．  Ｐ．  Ｋｒａｅｈｅｎｂｕｈｌ．  １９８８． Ｓｅｑｕｅｎｃｅ  ｏｆ  ｔｈｅ  ｒａｂｂｉｔ  ｗｈｅｙ  ａｃｉｄｉｃ  ｐｒｏｔｅｉｎ  ｃＤＮＡ．  Ｎｕｃｌｅｉｃ  Ａｃｉｄｓ  Ｒｅｓ  １６（１６）：  ８１８０．
Ｄｏｂｉｅ，  Ｋ．，  Ｍ．  Ｍｅｈｔａｌｉ，  Ｍ．  ＭｃＣｌｅｎａｇｈａｎ  ａｎｄ  Ｒ．  Ｌａｔｈｅ．  １９９７．  Ｖａｒｉｅｇａｔｅｄ  ｇｅｎｅ  ｅｘｐｒｅｓｓｉｏｎ  ｉｎ  ｍｉｃｅ．  Ｔｒｅｎｄｓ  Ｇｅｎｅｔ  １３（４）：  １２７−３０．
Ｄｏｂｉｅ，  Ｋ．  Ｗ．，  Ｍ．  Ｌｅｅ，  Ｊ．  Ａ．  Ｆａｎｔｅｓ，  Ｅ．  Ｇｒａｈａｍ，  Ａ．  Ｊ．  Ｃｌａｒｋ，  Ａ．  Ｓｐｒｉｎｇｂｅｔｔ，  Ｒ．  Ｌａｔｈｅ  ａｎｄ  Ｍ．  ＭｃＣｌｅｎａｇｈａｎ．  １９９６．  Ｖａｒｉｅｇａｔｅｄ  ｔｒａｎｓｇｅｎｅ  ｅｘｐｒｅｓｓｉｏｎ  ｉｎ  ｍｏｕｓｅ  ｍａｍｍａｒｙ  ｇｌａｎｄ  ｉｓ  ｄｅｔｅｒｍｉｎｅｄ  ｂｙ  ｔｈｅ  ｔｒａｎｓｇｅｎｅ  ｉｎｔｅｇｒａｔｉｏｎ  ｌｏｃｕｓ．  Ｐｒｏｃ  Ｎａｔｌ  Ａｃａｄ  Ｓｃｉ  Ｕ  Ｓ  Ａ  ９３（１３）：  ６６５９−６４．
Ｄｏｐｐｌｅｒ，  Ｗ．，  Ｈｏｃｋ，  Ｗ．，  Ｈｏｆｅｒ，  Ｐ．，  Ｇｒｏｎｅｒ，  Ｂ．  ａｎｄ  Ｂａｌｌ，  Ｒ．  Ｋ．：  Ｐｒｏｌａｃｔｉｎ  ａｎｄ  ｇｌｕｃｏｃｏｒｔｉｃｏｉｄ  ｈｏｒｍｏｎｅｓ  ｃｏｎｔｒｏｌ  ｔｒａｎｓｃｒｉｐｔｉｏｎ  ｏｆ  ｔｈｅ  ｂｅｔａ−ｃａｓｅｉｎ  ｇｅｎｅ  ｂｙ  ｋｉｎｅｔｉｃａｌｌｙ  ｄｉｓｔｉｎｃｔ  ｍｅｃｈａｎｉｓｍｓ．  Ｍｏｌ  Ｅｎｄｏｃｒｉｎｏｌ  ４（１９９０）  ９１２−９．
Ｆｅｓｔｅｎｓｔｅｉｎ，  Ｒ．，  Ｍ．  Ｔｏｌａｉｎｉ，  Ｐ．  Ｃｏｒｂｅｌｌａ，  Ｃ．  Ｍａｍａｌａｋｉ，  Ｊ．  Ｐａｒｒｉｎｇｔｏｎ，  Ｍ．  Ｆｏｘ，  Ａ．  Ｍｉｌｉｏｕ，  Ｍ．  Ｊｏｎｅｓ  ａｎｄ  Ｄ．  Ｋｉｏｕｓｓｉｓ．  １９９６．  Ｌｏｃｕｓ  ｃｏｎｔｒｏｌ  ｒｅｇｉｏｎ  ｆｕｎｃｔｉｏｎ  ａｎｄ  ｈｅｔｅｒｏｃｈｒｏｍａｔｉｎ−ｉｎｄｕｃｅｄ  ｐｏｓｉｔｉｏｎ  ｅｆｆｅｃｔ  ｖａｒｉｅｇａｔｉｏｎ．  Ｓｃｉｅｎｃｅ  ２７１（５２５２）：  １１２３−５．
Ｆｕｊｉｗａｒａ，  Ｙ．，  Ｍ．  Ｍｉｗａ，  Ｒ．  Ｔａｋａｈａｓｈｉ，  Ｍ．  Ｈｉｒａｂａｙａｓｈｉ，  Ｔ．  Ｓｕｚｕｋｉ  ａｎｄ  Ｍ．  Ｕｅｄａ．  １９９７．  Ｐｏｓｉｔｉｏｎ−ｉｎｄｅｐｅｎｄｅｎｔ  ａｎｄ  ｈｉｇｈ−ｌｅｖｅｌ  ｅｘｐｒｅｓｓｉｏｎ  ｏｆ  ｈｕｍａｎ  ａｌｐｈａ−ｌａｃｔａｌｂｕｍｉｎ  ｉｎ  ｔｈｅ  ｍｉｌｋ  ｏｆ  ｔｒａｎａｇｅｎｉｃ  ｒａｔｓ  ｃａｒｒｙｉｎｇ  ａ  ２１0−ｋｂ  ＹＡＣ  ＤＮＡ．  Ｍｏｌ  Ｒｅｐｒｏｄ  Ｄｅｖ  ４７（２）：  １５７−６３．
Ｇｒａｂｏｗｓｋｉ，  Ｈ．，  Ｄ．  Ｌｅ  Ｂａｒｓ，  Ｎ．  Ｃｈｅｎｅ，  Ｊ．  Ａｔｔａｌ，  Ｒ．  Ｍａｌｉｅｎｏｕ−Ｎｇａｓｓａ，  Ｃ．  Ｐｕｉｓｓａｎｔ  ａｎｄ  Ｌ．  Ｍ．  Ｈｏｕｄｅｂｉｎｅ，  １９９１．  Ｒａｂｂｉｔ  ｗｈｅｙ  ａｃｉｄｉｃ  ｐｒｏｔｅｉｎ  ｃｏｎｃｅｎｔｒａｔｉｏｎ  ｉｎ  ｍｉｌｋ，  ｓｅｒｕｍ，  ｍａｍｍａｒｙ  ｇｌａｎｄ  ｅｘｔｒａｃｔ，  ａｎｄ  ｃｕｌｔｕｅ  ｍｅｄｉｕｍ．  Ｊ  Ｄａｉｒｙ  Ｓｃｉ  ７４（１２）：  ４１４３−５０．
Ｈｅｎｎｉｇｈａｕｓｅｎ，  Ｌ．，  Ｂｕｒｄｏｎ，  Ｔ．，  ＭｃＫｎｉｇｈｔ，  Ｒ．，  Ｓｈａｍａｙ，  Ａ．，  Ｓａｎｋａｒａｎ，  Ｌ．  ａｎｄ  Ｗａｉｌ，  Ｒ．：  Ｒｅｇｕｌａｔｉｏｎ  ｐｆ  ｍｉｌｋ  ｐｒｏｔｅｉｎ  ｇｅｎｅ．  Ｔｒａｎｓｇｅｎｅｓ，  ｄｅｖｅｌｏｐｍｅｎｔ  ａｎｄ  Ｄｉｓｅａｓｅ  １７４（１９９０）．
Ｈｅｎｎｉｇｈａｕｓｅｎ，  Ｌ．  Ｇ．  ａｎｄ  Ａ．  Ｅ．  Ｓｉｐｐｅｌ．  １９８２．  Ｍｏｕｓｅ  ｗｈｅｙ  ａｃｉｄｉｃ  ｐｒｏｔｅｉｎ  ｉｓ  ａ  ｎｏｖｅｌ  ｍｅｍｂｅｒ  ｏｆ  ｔｈｅ  ｆａｍｉｌｙ  ｏｆ  ‘ｆｏｕｒ−ｄｉｓｕｌｆｉｄｅ  ｃｏｒｅ’  ｐｒｏｔｅｉｎｓ．  Ｎｕｃｌｅｉｃ  Ａｃｉｄｓ  Ｒｅｓ  １０（８）：  ２６７７−８４．
Ｈｏｇａｎ，  Ｂ．，  Ｆ．  Ｃｏｓｔａｎｔｉｎｉ  ａｎｄ  Ｅ．  Ｌａｃｙ，  １９８６．  Ｉｎ  ｍａｎｉｐｕｌａｔｉｎｇ  ｔｈｅ  ｍｏｕｓｅ  ｅｍｂｒｙｏ：  Ａ  ｌａｂｏｒａｔｏｒｙ  ｍａｎｕａｌ，  Ｃｏｌｄ  Ｓｐｒｉｎｇ  Ｌａｂｏｒａｔｏｒｙ  Ｐｒｅｓｓ．
Ｈｏｕｄｅｂｉｎｅ  Ｌ．−Ｍ．，  ２０００．  Ｔｒａｎｓｇｅｎｉｃ  ａｎｉｍａｌ  ｂｉｏｒｅａｃｔｏｒｓ．  Ｔｒａｎｓｇｅｎｉｃ  Ｒｅｓｅａｒｃｈ  ９：  ３０５−３２０．
Ｈｏｕｄｅｂｉｎｅ  Ｌ．−Ｍ．  ｅｔ  Ａｔｔａｌ  Ｊ，  １９９９．  Ｉｎｔｅｒｎａｌ  ｒｉｂｏｓｏｍｅ  ｅｎｔｒｙ  ｓｉｔｅ  （ＩＲＥＳｓ）：  ｒｅａｌｉｔｙ  ａｎｄ  ｕｓｅ．  Ｔｒａｎｓｇｅｎｉｃ  ｒｅｓｅａｒｃｈ，  ８：  １５７−１７７
Ｋｒｎａｃｉｋ，  Ｍ．  Ｊ．，  Ｓ．  Ｌｉ，  Ｊ．  Ｌｉａｏ  ａｎｄ  Ｊ．  Ｍ．  Ｒｏｓｅｎ．  １９９５．  Ｐｏｓｉｔｉｏｎ−ｉｎｄｅｐｅｎｄｅｎｔ  ｅｘｐｒｅｓｓｉｏｎ  ｏｆ  ｗｈｅｙ  ａｃｉｄｉｃ  ｐｒｏｔｅｉｎ  ｔｒａｎｓｇｅｎｅｓ．  Ｊ  Ｂｉｏｌ  Ｃｈｅｍ  ２７０（１９）：  １１１１９−２９．
Ｌｅｅ，  Ｄ．，  Ｈａ，  Ｓ．，  Ｋｈｏ，  Ｙ．，  Ｋｉｍ，  Ｊ．，  Ｃｈｏ，  Ｋ．，  Ｂａｉｋ，  Ｍ．  ａｎｄ  Ｃｈｏｉ，  Ｙ．：  Ｉｎｄｕｃｔｉｏｎ  ｏｆ  ｍｏｕｓｅ  Ｃａ（２＋）−ｓｅｎｓｉｔｉｖｅ  ｃｈｌｏｒｉｄｅ  ｃｈａｎｎｅｌ  ２  ｇｅｎｅ  ｄｕｒｉｎｇ  ｉｎｖｏｌｕｔｉｏｎ  ｏｆ  ｍａｍｍａｒｙ  ｇｌａｎｄ．  Ｂｉｏｃｈｅｍ  Ｂｉｏｐｈｙｓ  Ｒｅｓ  Ｃｏｍｍｕｎ  ２６４（１９９９）  ９３３−７．
ＭｃＫｅｎｚｉｅ，  Ｒ．  Ｍ．  ａｎｄ  Ｌａｒｓｏｎ，  Ｂ．  Ｌ．：  Ｐｕｒｉｆｉｃａｔｉｏｎ  ａｎｄ  ｐａｒｔｉａｌ  ｅｈａｒａｃｔｅｒｉｚａｔｉｏｎ  ｏｆ  ａ  ｕｎｉｑｕｅ  ｇｒｏｕｐ  ｏｆ  ｐｈｏｓｐｈｏｐｒｏｔｅｉｎｓ  ｆｒｏｍ  ｒａｔ  ｍｉｌｋ  ｗｈｅｙ．  Ｊ  Ｄａｉｒｙ  Ｓｃｉ  ６１（１９７８）  ７２３−８．
Ｍｉｌｏｔ，  Ｅ．，  Ｓｔｒｏｕｂｏｕｌｉｓ，  Ｊ．，  Ｔｒｉｍｂｏｒｎ，  Ｔ．，  Ｗｉｊｇｅｒｄｅ，  Ｍ．，  ｄｅ  Ｂｏｅｒ，  Ｅ．，  Ｌａｎｇｅｖｅｌｄ，  Ａ．，  Ｔａｎ−Ｕｎ，  Ｋ．，  Ｖｅｒｇｅｅｒ，  Ｗ．，  Ｙａｎｎｏｕｔｓｏｓ，  Ｎ．，  Ｇｒｏｓｖｅｌｄ，  Ｆ．  ａｎｄ  Ｆｒａｓｅｒ，  Ｐ．：  Ｈｅｔｅｒｏｃｈｒｏｍａｔｉｎ  ｅｆｆｅｃｔｓ  ｏｎ  ｔｈｅ  ｆｒｅｑｕｅｎｃｙ  ａｎｄ  ｄｕｒａｔｉｏｎ  ｏｆ  ＬＣＲ−ｍｅｄｉａｔｅｄ  ｇｅｎｅ  ｔｒａｎｓｃｒｉｐｔｉｏｎ．  Ｃｅｌｌ  ８７（１９９６）  １０５−１４．
Ｎｉｅｌｓｅｎ，  Ｌ．  Ｂ．，  ＭｃＣｏｒｍｉｃｋ，  Ｓ．Ｐ．，  Ｐｉｅｒｏｔｔｉ，  Ｖ，．  Ｔａｍ，  Ｃ．，  Ｇｕｎｎ，  Ｍ．  Ｄ．，  Ｓｈｉｚｕｙａ，  Ｈ．  ａｎｄ  Ｙｏｕｎｇ，  Ｓ．Ｇ．：  Ｈｕｍａｎ  ａｐｏｌｉｐｏｐｒｏｔｅｉｎ  Ｂ  ｔｒａｎｓｇｅｎｉｃ  ｍｉｃｅ  ｇｅｎｅｒａｔｅｄ  ｗｉｔｈ  ２０７−  ａｎｄ  １４５−ｋｉｌｏｂａｓｅ  ｐａｉｒ  ｂａｃｔｅｒｉａｌ  ａｒｔｉｆｉｃｉａｌ  ｃｈｒｏｍｏｓｏｍｅｓ．  Ｅｖｉｄｅｎｃｅ  ｔｈａｔ  ａ  ｄｉｓｔａｎｔ  ５’−ｅｌｅｍｅｎｔ  ｃｏｎｆｅｒｓ  ａｐｐｒｏｐｒｉａｔｅ  ｔｒａｎｓｇｅｎｅ  ｅｘｐｒｅｓｓｉｏｎ  ｉｎ  ｔｈｅ  ｉｎｔｅｓｔｉｎｅ．  Ｊ  Ｂｉｏｌ  Ｃｈｅｍ  ２７２（１９９７）  ２９７５２−８
Ｏｈｌｍａｎｎ  ｅｔ  ａｌ，  Ｊａｎ  ２０００，  ｍ／ｓ（ｍｅｄｅｃｉｎｅｓ／ｓｃｉｅｎｃｅｓ），  ｖｏｌ  １６，  ７７−８６．
Ｐａｌｍｉｔｅｒ，  Ｒ．  Ｄ．，  Ｔ．  Ｍ．  Ｗｉｌｋｉｅ，  Ｈ．  Ｙ．  Ｃｈｅｎ  ａｎｄ  Ｒ．  Ｌ．  Ｂｒｉｎｓｔｅｒ．  １９８４．  Ｔｒａｎｓｍｉｓｓｉｏｎ  ｄｉｓｔｏｒｔｉｏｎ  ａｎｄ  ｍｏｓａｉｃｉｓｍ  ｉｎ  ａｎ  ｕｎｕｓｕａｌ  ｔｒａｎｓｇｅｎｉｃ  ｍｏｕｓｅ  ｐｅｄｉｇｒｅｅ．  Ｃｅｌｌ  ３６（４）：  ８６９−７７．
Ｐａｒｒｉｓｈ  ｅｔ  ａｌ．（１９８５）  Ｔｈｅｒｉｏｇｅｎｏｌｏｇｙ  ２４：５３７
Ｐｉｌｅｔｚ，  Ｊ．  Ｅ．，  Ｈｅｉｎｌｅｎ，  Ｍ．  ａｎｄ  Ｇａｎｓｃｈｏｗ，  Ｒ．  Ｅ．：  Ｂｉｏｃｈｅｍｉｃａｌ  ｃｈａｒａｃｔｅｒｉｚａｔｉｏｎ  ｏｆ  ａ  ｎｏｖｅｌ  ｗｈｅｙ  ｐｒｏｔｅｉｎ  ｆｒｏｍ  ｍｕｒｉｎｅ  ｍｉｌｋ．  Ｊ  Ｂｉｏｌ  Ｃｈｅｍ  ２５６（１９８１）  １１５０９−１６．
Ｐｉｔｔｉｕｓ，  Ｃ．  Ｗ．，  Ｈｅｎｎｉｇｈａｕｓｅｎ，  Ｌ．，  Ｌｅｅ，  Ｅ，，  Ｗｅｓｔｐｈａｌ，  Ｈ．，  Ｎｉｃｏｌｓ，  Ｅ．，  Ｖｉｔａｌｅ，  Ｊ．  ａｎｄ  Ｇｏｒｄｏｎ，  Ｋ．：  Ａ  ｍｉｌｋ  ｐｒｏｔｅｉｎ  ｇｅｎｅ  ｐｒｏｍｏｔｅｒ  ｄｉｒｅｃｔｓ  ｔｈｅ  ｅｘｐｒｅｓｓｉｏｎ  ｏｆ  ｈｕｍａｎ  ｔｉｓｓｕｅ  ｐｌａｓｍｉｎｏｇｅｎ  ａｃｔｉｖａｔｏｒ  ｃＤＮＡ  ｔｏ  ｔｈｅ  ｍａｍｍａｒｙ  ｇｌａｎｄ  ｉｎ  ｔｒａｎｓｇｅｎｉｃ  ｍｉｃｅ．  Ｐｒｏｃ  Ｎａｔｌ  Ａｃａｄ  Ｓｃｉ  Ｕ  Ｓ  Ａ  ８５（１９８８ａ）  ５８７４−８．
Ｐｉｔｔｉｕｓ，  Ｃ．  Ｗ．，  Ｓａｎｋａｒａｎ，  Ｌ．，  Ｔｏｐｐｅｒ，  Ｙ．  Ｊ．  ａｎｄ  Ｈｅｎｎｉｇｈａｕｓｅｎ，  Ｌ．：  Ｃｏｍｐａｒｉｓｏｎ  ｏｆ  ｔｈｅ  ｒｅｇｕｌａｔｉｏｎ  ｏｆ  ｔｈｅ  ｗｈｅｙ  ａｃｉｄｉｃ  ｐｒｏｔｅｉｎ  ｇｅｎｅ  ｗｉｔｈ  ｔｈａｔ  ｏｆ  ａ  ｈｙｂｒｉｄ  ｇｅｎｅ  ｃｏｎｔａｉｎｉｎｇ  ｔｈｅ  ｗｈｅｙ  ａｃｉｄｉｃ  ｐｒｏｔｅｉｎ  ｇｅｎｅ  ｐｒｏｍｏｔｅｒ  ｉｎ  ｔｒａｎｓｇｅｎｉｃ  ｍｉｃｅ．  Ｍｏｌ  Ｅｎｄｏｃｒｉｎｏｌ  ２（１９８８ｂ）  ｌ０２７−３２．
Ｐｕｉｓｓａｎｔ，  Ｃ．，  Ｍ．  Ｂａｙａｔ−Ｓａｒｍａｄｉ，  Ｅ．  Ｄｅｖｉｎｏｙ  ａｎｄ  Ｌ．  Ｍ．  Ｈｏｕｄｅｂｉｎｅ．  １９９４．  Ｖａｒｉａｔｉｏｎ  ｏｆ  ｔｒａｎｓｆｅｒｒｉｎ  ｍＲＮＡ  ｃｏｎｃｅｎｔｒａｔｉｏｎ  ｉｎ  ｔｈｅ  ｒａｂｂｉｔ  ｍａｍｍａｒｙ  ｇｌａｎｄ  ｄｕｒｉｎｇ  ｔｈｅ  ｐｒｅｇｎａｎｃｙ−ｌａｃｔａｔｉｏｎ−ｗｅａｎｉｎｇ  ｃｙｃｌｅ  ａｎｄ  ｉｎ  ｃｕｌｔｕｒｅｄ  ｍａｍｍａｒｙ  ｃｅｌｌｓ．  Ａ  ｃｏｍｐａｒｉｓｏｎ  ｗｉｔｈ  ｔｈｅ  ｏｔｈｅｒ  ｍａｊｏｒ  ｍｉｌｋ  ｐｒｏｔｅｉｎ  ｍＲＮＡｓ．  Ｅｕｒ  Ｊ  Ｅｎｄｏｃｒｉｎｏｌ  １３０（５）：  ５２２−９．
Ｒａｙｎａｌ，  Ｆ．，  Ｂ．  Ｍｉｃｈｏｔ  ａｎｄ  Ｊ．  Ｐ．  Ｂａｃｈｅｌｌｅｒｉｅ．  １９８４．  Ｃｏｍｐｌｅｔｅ  ｎｕｃｌｅｏｔｉｄｅ  ｓｅｑｕｅｎｃｅ  ｏｆ  ｍｏｕｓｅ  １８Ｓ  ｒＲＮＡ  ｇｅｎｅ：  ｃｏｍｐａｉｓｏｎ  ｗｉｔｈ  ｏｔｈｅｒ  ａｖａｉｌａｂｌｅ  ｈｏｍｏｌｏｇｓ．  ＦＥＢＳ  Ｌｅｔｔ  １６７（２）：  ２６３−８．
Ｒｏｓｅｎｋｒａｎｓ，  Ｃ．  Ｆ  ．，  Ｊｒ．  ａｎｄ  Ｆｉｒｓｔ，  Ｎ．  Ｌ．：  Ｅｆｆｅｃｔ  ｏｆ  ｆｒｅｅ  ａｍｉｎｏ  ａｃｉｄｓ  ａｎｄ  ｖｉｔａｍｉｎｓ  ｏｎ  ｃｌｅａｖａｇｅ  ａｎｄ  ｄｅｖｅｌｏｐｍｅｎｔａｌ  ｒａｔｅ  ｏｆ  ｂｏｖｉｎｅ  ｚｙｇｏｔｅｓ  ｉｎ  ｖｉｔｒｏ．  Ｊ  Ａｎｉｍ  Ｓｃｉ  ７２（１９９４）  ４３４−７．
Ｓａｍｂｒｏｏｋ，  Ｊ．，  Ｆｒｉｔｓｃｈ，  Ｅ．  Ｆ．  ａｎｄ  Ｍａｎｉａｔｉｓ，  Ｔ．：  Ｍｏｌｅｃｕｌａｒ  ｃｌｏｎｉｎｇ：  Ａ  ｌａｂｏｒａｔｏｒｙ  ｍａｎｕａｌ．  Ｃｏｌｄ  Ｓｐｒｉｎｇ  ｌａｂｏｒａｔｏｒｙ  ｐｒｅｓｓ，  １９８９．
Ｓｃｈｅｄｌ，  Ａ．，  Ｚ．  Ｌａｒｉｎ，  Ｌ．  Ｍｏｎｔｏｌｉｕ，  Ｅ．  Ｔｈｉｅｓ，  Ｇ．  Ｋｅｌｓｅｙ，  Ｈ．  Ｌｅｈｒａｃｈ  ａｎｄ  Ｇ．  Ｓｃｈｕｔｚ．  １９９３．  Ａ  ｍｅｔｈｏｄ  ｆｏｒ  ｔｈｅ  ｇｅｎｅｒａｔｉｏｎ  ｏｆ  ＹＡＣ  ｔｒａｎｓｇｅｎｉｃ  ｍｉｃｅ  ｂｙ  ｐｒｏｎｕｃｌｅａｒ  ｍｉｃｒｏｉｎｊｅｃｔｉｏｎ．  Ｎｕｃｌｅｉｃ  Ａｃｉｄｓ  Ｒｅｓ  ２１（２０）：  ４７８３−７．
Ｓｉｍｐｓｏｎ，  Ｋ．  Ｊ．，  Ｐ．  Ｂｉｒｄ，  Ｄ．  Ｓｈａｗ  ａｎｄ  Ｋ．  Ｎｉｃｈｏｌａｓ．  １９９８．  Ｍｏｌｅｃｕｌａｒ  ｃｈａｒａｃｔｅｒｉｓａｔｉｏｎ  ａｎｄ  ｈｏｒｍｏｎｅ−ｄｅｐｅｎｄｅｎｔ  ｅｘｐｒｅｓｓｉｏｎ  ｏｆ  ｔｈｅ  ｐｏｒｃｉｎｅ  ｗｈｅｙ  ａｃｉｄｉｃ  ｐｒｏｔｅｉｎ  ｇｅｎｅ．  Ｊ  Ｍｏｌ  Ｅｎｄｏｃｒｉｎｏｌ  ２０（１）：  ２７−３５．
Ｓｔｉｎｎａｋｒｅ，  Ｍ．  Ｇ．，  Ｓ．  Ｓｏｕｌｉｅｒ，  Ｌ．  Ｓｃｈｉｂｌｅｒ，  Ｌ．  Ｌｅｐｏｕｒｒｙ，  Ｊ．  Ｃ．  Ｍｅｒｃｉｅｒ  ａｎｄ  Ｊ．  Ｌ．  Ｖｉｌｏｔｔｅ．  １９９９．  Ｐｏｓｉｔｉｏｎ−ｉｎｄｅｐｅｎｄｅｎｔ  ａｎｄ  ｃｏｐｙ−ｎｕｍｂｅｒ−ｒｅｌａｔｅｄ  ｅｘｐｒｅｓｓｉｏｎ  ｏｆ  ａ  ｇｏａｔ  ｂａｃｔｅｒｉａｌ  ａｒｔｉｆｉｃｉａｌ  ｃｈｒｏｍｏｓｏｍｅ  ａｌｐｈａ−１ａｃｔａｌｂｕｍｉｎ  ｇｅｎｅ  ｉｎ  ｔｒａｎｓｇｅｎｉｃ  ｍｉｃｅ．  Ｂｉｏｃｈｅｍ  Ｊ  ３３９（Ｐｔ  １）：  ３３−６．
Ｔａｂｏｉｔ−Ｄａｍｅｒｏｎ，  Ｆ．，  Ｍａｌａｓｓａｇｎｅ，  Ｂ．，  Ｖｉｇｌｉｅｔｔａ，  Ｃ．，  Ｐｕｉｓｓａｎｔ，  Ｃ．，  Ｌｅｒｏｕｘ−Ｃｏｙａｕ，  Ｍ．，  Ｃｈｅｒｅａｕ，  Ｃ．，  Ａｔｔａｌ，  Ｊ．，  Ｗｅｉｌｌ，  Ｂ．  ａｎｄ  Ｈｏｕｄｅｂｉｎｅ，  Ｌ．  Ｍ．：  Ａｓｓｏｃｉａｔｉｏｎ  ｏｆ  ｔｈｅ  ５’ＨＳ４  ｓｅｑｕｅｎｃｅ  ｏｆ  ｔｈｅ  ｃｈｉｃｋｅｎ  ｂｅｔａ−ｇｌｏｂｉｎ  ｌｏｃｕｓ  ｃｏｎｔｒｏｌ  ｒｅｇｉｏｎ  ｗｉｔｈ  ｈｕｍａｎ  ＥＦ１  ａｌｐｈａ  ｇｅｎｅ  ｐｒｏｍｏｔｅｒ  ｉｎｄｕｃｅｓ  ｕｂｉｑｕｉｔｏｕｓ  ａｎｄ  ｈｉｇｈ  ｅｘｐｒｅｓｓｉｏｎ  ｏｆ  ｈｕｍａｎ  ＣＤ５５  ａｎｄ  ＣＤ５９  ｃＤＮＡｓ  ｉｎ  ｔｒａｎｓｇｅｎｉｃ  ｒａｂｂｉｔｓ．  Ｔｒａｎｓｇｅｎｉｃ  Ｒｅｓ８（１９９９）  ２２３−３５．
Ｔｈeｐｏｔ，  Ｄ．，  Ｅ．  Ｄｅｖｉｎｏｙ，  Ｍ．  Ｌ．  Ｆｏｎｔａｉｎｅ，  Ｍ．  Ｇ．  Ｓｔｉｎｎａｋｒｅ，  Ｍ．  Ｍａｓｓｏｕｄ，  Ｇ．  Ｋａｎｎ  ａｎｄ  Ｌ．  Ｍ．  Ｈｏｕｄｅｂｉｎｅ．  １９９５．  Ｒａｂｂｉｔ  ｗｈｅｙ  ａｃｉｄｉｃ  ｐｒｏｔｅｉｎ  ｇｅｎｅ  ｕｐｓｔｒｅａｍ  ｒｅｇｉｏｎ  ｃｏｎｔｒｏｌｓ  ｈｉｇｈ−ｌｅｖｅｌ  ｅｘｐｒｅｓｓｉｏｎ  ｏｆ  ｂｏｖｉｎｅ  ｇｒｏｗｔｈ  ｈｏｒｍｏｎｅ  ｉｎ  ｔｈｅ  ｍａｍｍａｒｙ  ｇｌａｎｄ  ｏｆ  ｔｒａｎｓｇｅｎｉｃ  ｍｉｃｅ．  Ｍｏｌ  Ｒｅｐｒｏｄ  Ｄｅｖ  ４２（３）：  ２６１−７．
Ｖａｎ  Ｃｏｔｔ，  Ｋ．  Ｅ．，  Ｂ．  Ｗｉｌｌｉａｍｓ，  Ｗ．  Ｈ．  Ｖｅｌａｎｄｅｒ，  Ｆ．  Ｇｗａｚｄａｕｓｋａｓ，  Ｔ．  Ｌｅｅ，  Ｈ．  Ｌｕｂｏｎ  ａｎｄ  Ｗ．  Ｎ．  Ｄｒｏｈａｎ．  １９９６．  Ａｆｆｉｎｉｔｙ  ｐｕｒｉｆｉｃａｔｉｏｎ  ｏｆ  ｂｉｏｌｏｇｉｃａｌｌｙ  ａｃｔｉｖｅ  ａｎｄ  ｉｎａｃｔｉｖｅ  ｆｏｒｍｓ  ｏｆ  ｒｅｃｏｍｂｉｎａｎｔ  ｈｕｍａｎ  ｐｒｏｔｅｉｎ  Ｃ  ｐｒｏｄｕｃｅｄ  ｉｎ  ｐｏｒｃｉｎｅ  ｍａｍｍａｒｙ  ｇｌａｎｄ．  Ｊ  Ｍｏｌ  Ｒｅｃｏｇｎｉｔ  ９（５−６）：  ４０７−１４．
Ｗｈｉｔｅｌａｗ，  Ｃ．  Ｂ．，  Ｓ．  Ｈａｒｒｉｓ，  Ｍ．  ＭｃＣｌｅｎａｇｈａｎ，  Ｊ．  Ｐ．  Ｓｉｍｏｎｓ  ａｎｄ  Ａ．  Ｊ．  Ｃｌａｒｋ．  １９９２．  Ｐｏｓｉｔｉｏｎ−ｉｎｄｅｐｅｎｄｅｎｔ  ｅｘｐｒｅｓｓｉｏｎ  ｏｆ  ｔｈｅ  ｏｖｉｎｅ  ｂｅｔａ−１ａｃｔｏｇｌｏｂｕｌｉｎ  ｇｅｎｅ  ｉｎ  ｔｒａｎｓｇｅｎｉｃ  ｍｉｃｅ．  Ｂｉｏｃｈｅｍ  Ｊ  ２８６（Ｐｔ  １）：  ３１−９．
Ｗｉｌｌｏｕｇｈｂｙ，  Ｄ．  Ａ．，  Ｖｉｌａｌｔａ，  Ａ．  ａｎｄ  Ｏｓｈｉｍａ，  Ｒ．  Ｇ．：  Ａｎ  Ａｌｕ  ｅｌｅｍｅｎｔ  ｆｒｏｍ  ｔｈｅ  Ｋ１８  ｇｅｎｅ  ｃｏｎｆｅｒｓ  ｐｏｓｉｔｉｏｎ−ｉｎｄｅｐｅｎｄｅｎｔ  ｅｘｐｒｅｓｓｉｏｎ  ｉｎ  ｔｒａｎｓｇｅｎｉｃ  ｍｉｃｅ．  Ｊ  Ｂｉｏｌ  Ｃｈｅｍ  ２７５（２０００）  ７５９−６８．
Ｚｈｏｎｇ，  Ｘ．  Ｐ．  ａｎｄ  Ｋｒａｎｇｅｌ，  Ｍ．  Ｓ．：  Ｅｎｈａｎｃｅｒ−ｂｌｏｃｋｉｎｇ  ａｃｔｉｖｉｔｙ  ｗｉｔｈｉｎ  ｔｈｅ  ＤＮａｓｅ  Ｉ  ｈｙｐｅｒｓｅｎｓｉｔｉｖｅ  ｓｉｔｅ  ２  ｔｏ  ６  ｒｅｇｉｏｎ  ｂｅｔｗｅｅｎ  ｔｈｅ  ＴＣＲ  ａｌｐｈａ  ａｎｄ  Ｄａｄ１  ｇｅｎｅｓ．  Ｊ  Ｉｍｍｕｎｏｌ    １６３（１９９９）  ２９５−３００．